(57)【要約】【課題】表示部を大きくせずに、画面切替回数を減らして操作者の負担を減らす。【解決手段】ミシン本体のミシンモータにより駆動されるミシン主軸を介して針棒を上下運動させる電子ミシン（Ｍ）は、複数のイラストデータを記憶するイラストデータ記憶部（１５）と、イラストデータ記憶部に記憶されたイラストデータを表示する表示部（４）と、イラストデータに対応する音声データを記憶する音声データ記憶部（２０）と、該音声データ記憶部に記憶された音声データを出力する音声出力部（２１）とを具備し、イラストデータを表示部に表示しつつ、イラストデータに対応した音声データを音声出力部から出力するようにした。イラストデータがミシンの使用法を説明するためのデータであり、音声データが前記イラストデータに対応する説明文のデータであるのが好ましい。【選択図】図２
2012179088.tif 000002
【特許請求の範囲】
【請求項１】
ミシン本体のミシンモータにより駆動されるミシン主軸を介して針棒を上下運動させる電子ミシンにおいて、
複数のイラストデータを記憶するイラストデータ記憶部と、
該イラストデータ記憶部に記憶された前記イラストデータを表示する表示部と、
前記イラストデータに対応する音声データを記憶する音声データ記憶部と、
該音声データ記憶部に記憶された音声データを出力する音声出力部とを具備し、
前記イラストデータを前記表示部に表示しつつ、前記イラストデータに対応した音声データを前記音声出力部から出力するようにした、電子ミシン。
【請求項２】
前記イラストデータが前記ミシンの使用法を説明するためのデータであり、前記音声データが前記イラストデータに対応する説明文のデータである、請求項１に記載の電子ミシン。
【請求項３】
さらに、前記イラストデータに対応する音声データを出力しないように切替える切替部を具備する、請求項１または２に記載の電子ミシン。
【発明の詳細な説明】
【技術分野】
【０００１】
本発明は、ミシン本体のミシンモータにより駆動されるミシン主軸を介して針棒を上下運動させる電子ミシンに関する。
【背景技術】
【０００２】
電子ミシンは多数の縫製機能、例えば模様縫い、実用縫いなどの機能を備えている。ところが、電子ミシンの縫製機能が増えるにつれてその操作が複雑になり、使用者は使用説明書をしばしば参照する必要がある。従って、使用者の負担が増えると共に、ミシン操作にかかる時間も長くなることになる。
【０００３】
このため、特許文献１においては、ミシンに取付けられた表示部、例えば液晶ディスプレイに、ミシン操作の説明文と、その説明文に関するイラストとを表示している。この場合には、使用者は使用説明書を参照する必要はない。
【０００４】
また、近年では、音声データをスピーカから出力する電子ミシンも流通している。例えば特許文献２に開示される電子ミシンは、ミシンの所定箇所に設けられた異常検出器が異常を検出したときに、異常内容を音声により使用者に通知すると共に、異常に対処するために行うべき作業を音声により使用者に通知することができる。
【先行技術文献】
【特許文献】
【０００５】
【特許文献１】特許第２６５０３８０号
【特許文献２】特公平１−３４６３８号公報
【発明の概要】
【発明が解決しようとする課題】
【０００６】
通常、表示部はミシンのアームとベッドとの間の柱状部に取付けられており、表示部の寸法は柱状部の寸法に応じて定まる。また、表示部の寸法は電子ミシンのコストにも影響する。このため、ミシンの使用に関するイラストおよび／または使用に関する説明文を一つの表示部に同時に表示するのは限界がある。従って、複雑な操作を説明するためには、複数のイラストおよび／または説明文を複数回に亙って表示部に表示する必要があり、使用者は表示部の画面切替操作を複数回、行うことになって、操作時間がかなり長くなる。画面切替操作を減らすために、イラストおよび／または文字を小さくすることも考えられるが、使用者の目の負担を抑えるために、イラストおよび／または文字を小さくするのは限界がある。
【０００７】
また、特許文献２のように異常発生時に音声を出力するミシンにおいて、使用者が一旦、ミシンの操作に慣れてしまうと、異常を通知するための音声データは不要になる。また、異常や操作ミスを音声により何度も指摘されると、ストレスを感じる使用者もいる。
【０００８】
本発明はこのような事情に鑑みてなされたものであり、表示部の寸法を大きくすることなしに、画面切替回数を減らして操作者の負担を減らすことのできる電子ミシンを提供することを目的とする。
【課題を解決するための手段】
【０００９】
前述した目的を達成するために１番目の発明によれば、ミシン本体のミシンモータにより駆動されるミシン主軸を介して針棒を上下運動させる電子ミシンにおいて、複数のイラストデータを記憶するイラストデータ記憶部と、該イラストデータ記憶部に記憶された前記イラストデータを表示する表示部と、前記イラストデータに対応する音声データを記憶する音声データ記憶部と、該音声データ記憶部に記憶された音声データを出力する音声出力部とを具備し、前記イラストデータを前記表示部に表示しつつ、前記イラストデータに対応した音声データを前記音声出力部から出力するようにした、電子ミシンが提供される。
【００１０】
２番目の発明によれば、１番目の発明において、前記イラストデータが前記ミシンの使用法を説明するためのデータであり、前記音声データが前記イラストデータに対応する説明文のデータである。
【００１１】
３番目の発明によれば、１番目または２番目の発明において、さらに、前記イラストデータに対応する音声データ及び異常を通知するための音声データを出力しないように切替える切替部を具備する。
【発明の効果】
【００１２】
１番目および２番目の発明においては、文字情報をほとんど含まないイラストデータのみを表示部に表示し、表示されたイラストデータに対応する説明文は音声として出力している。このため、表示部にはイラストデータのみを表示すれば足りるので、表示部を大きくする必要はなく、また、イラストデータを小さく表示する必要もない。さらに、説明文を音声として出力しているので、画面切替操作を最小限にできる。従って、使用者の負担を減らすことが可能となる。
【００１３】
３番目の発明においては、使用者の要求に応じて、音声データ出力しないようにできるので、使用者のストレスをさらに減らすことができる。
【図面の簡単な説明】
【００１４】
【図１】本発明に基づく電子ミシンの正面図である。
【図２】図１に示される電子ミシンの制御部の機能ブロック図である。
【図３】（ａ）〜（ｎ）表示部に表示されるイラストデータを示す図である。
【図４】電子ミシンの動作を示すフローチャートである。
【図５】切替部による切替動作を説明するためのフローチャートである。
【図６】図５による切替動作が行われた後における音声出力部の動作を示すフローチャートである。
【図７】（ａ）図１に示される操作パネルの部分拡大図である。（ｂ）切替部による切替内容を説明するための図である。
【発明を実施するための形態】
【００１５】
以下、添付図面を参照して本発明の実施形態を説明する。以下の図面において同様の部材には同様の参照符号が付けられている。理解を容易にするために、これら図面は縮尺を適宜変更している。
図１は本発明に基づく電子ミシンの正面図である。図１に示されるように、電子ミシンＭは、ベッド部Ａと、ベッド部Ａの右端部から立設された脚柱部Ｂと、脚柱部Ｂの上端からベッド部Ａに対向するように左方へ延びるアーム部Ｃとを有している。さらに、アーム部Ｃの下端には、縫針７が装着された針棒９が昇降可能に取付けられている。
【００１６】
針棒９の右方には、押さえ上げレバー６が設けられている。使用者が押さえ上げレバー６を上方に上げると、押さえ棒８がこれに連動して上昇し、押さえ棒８に取付けられた押さえ金１０も同様に上昇する。一方、図１に示されるように押さえ上げレバー６を下げると、押さえ金１０も下降して縫製物（図示しない）を押圧するようになる。
【００１７】
図１に示されるように、アーム部Ｃには、電子ミシンＭの起動および停止を行うスタートストップボタン１１、および押圧されると返し縫いを行う返し縫いボタン１９が設けられている。さらに、アーム部Ｃには、横方向にスライドさせて電子ミシンＭの縫製スピードを調節するスピード調節ツマミ１３が設けられている。
【００１８】
さらに、図１に示されるように、電子ミシンＭの前面は前カバー１により被覆されている。そして、脚柱部Ｂに対応する前カバー１の一部分には、操作パネル２が設けられている。この操作パネル２の下方部分にはスピーカ用穴部３が形成されている。図１には示さないものの、操作パネル２の下方部分の背面には、後述するスピーカ２１が設けられている。スピーカ２１から出力される音声は、スピーカ用穴部３を通じて電子ミシンＭの外部に出力される。
【００１９】
図７（ａ）は図１に示される操作パネル２の部分拡大図である。図７（ａ）に示されるように、操作パネル２には、後述するイラストデータおよび他のデータを表示する液晶表示装置４が設けられている。
【００２０】
液晶表示装置４の下方には、各種のボタンが配置された表示板１２が設けられている。表示板１２のボタンは、電子ミシンＭの各種の操作を行うのに使用される。例えば表示板１２のボタン１２ｂ、１２ｃは、メニュー画面で表示される電子ミシンの複数の操作から一つの操作を選択するのに使用される。表示板１２の一つのボタン１２ａは、使用者が電子ミシンＭの操作音およびエラー音声の切替を行う切替部としての役目を果たす。
【００２１】
なお、透明のタッチパネル５が液晶表示装置４および表示板１２の上面に配置されている。従って、液晶表示装置４および表示板１２の所望部位に対応するタッチパネル５が押圧されると、その部位に応じた操作が行われる。
【００２２】
図２は図１に示される電子ミシンの制御部の機能ブロック図である。この制御部は電子ミシンＭ内部に組込まれているものとする。制御部は、模様選択するときに使用される模様データ、ミシンの使用法を説明するときに使用されるイラストデータおよび各種のプログラムを記憶するＲＯＭ１５を含んでいる。ＣＰＵ１４は、ＲＯＭ１５に記憶された各種のプログラムを実行し、ＲＡＭ１６はＣＰＵ１４の処理時にデータを一時的に記憶することなどに使用される。これらＣＰＵ１４、ＲＯＭ１５およびＲＡＭ１６は入出力装置１７により互いに接続されるものとする。
【００２３】
液晶表示装置４およびタッチパネル５は入出力装置１７に接続されている。さらに、入出力装置１７には、後述する音声データを含む音声合成ＬＳＩ２０が接続されている。この音声合成ＬＳＩ２０の音声データはスピーカ２１を通じて出力される。
【００２４】
表１は、音声合成ＬＳＩ２０に記憶された音声データを示すテーブルである。入出力装置１７から音声合成ＬＳＩ２０に対してフレーズアドレスおよび再生コマンドが出力されると、フレーズアドレスに対応した音声データ（フレーズ内容）がスピーカ２１から出力される。
【表１】
2012179088.tif 000003
表１に示されるように、音声合成ＬＳＩ２０には、複数の音声データ（フレーズ内容）がフレーズアドレスに対応して記憶されている。また、これら音声データは、後述するように一つまたは複数のイラストデータに適宜、関連付けられているものとする。表１に示される音声データは、例えば下糸をセットする操作を説明するための一群の説明文である。また、表１のフレーズアドレスＡ２１、Ａ２４に示されるように、音声合成ＬＳＩ２０には、タッチパネル５を押圧したときに出力されるキー入力音１および使用者が誤操作したときに出力される注意音１も記憶されている。
【００２５】
再び図２を参照すると、入出力装置１７には、さらに、スタートストップボタン１１と、返し縫いボタン１９と、スピード調節ツマミ１３と、押さえ上げレバー６が上方位置または下方位置にあるときに所定の信号を出力する押さえ上げスイッチ２３と、ミシン主軸（図示しない）の移動を検出するタイミングセンサ２４とが接続されている。
【００２６】
さらに、電子ミシンＭの主軸（図示しない）を回転して針棒９を駆動するメインモータ２６は、メインモータドライバ２５を介して入出力装置１７に接続されている。同様に、送り歯（図示しない）による縫製物の送り量を制御する送りパルスモータ２８は、送りパルスモータドライバ２７を介して入出力装置１７に接続されている。さらに、針棒９を左右に移動させる針振れパルスモータ３０は、針振れパルスモータドライバ２９を介して入出力装置１７に接続されている。さらに、図２に示されるように、これらモータ２６、２８、３０は、縫い目模様を形成するための模様形成装置３１に接続されている。
【００２７】
図３（ａ）〜図３（ｎ）は、ＲＯＭ１５に記憶されていて液晶表示装置４に表示されるイラストデータＰ１〜Ｐ１４を示す図である。これらイラストデータＰ１〜Ｐ１４は電子ミシンＭに下糸をセットする操作を説明するときに使用される。図３（ａ）〜図３（ｎ）より分かるように、イラストデータＰ１〜Ｐ１４は実質的にイラストのみに関するデータであり、文字情報をほとんど含んでいない。
【００２８】
さらに、図４は、「下糸のセット」を選択したときの電子ミシンの動作を示すフローチャートである。以下、図３（ａ）〜図３（ｎ）および図４を参照しつつ、下糸のセットを選択したときの電子ミシンＭの動作を説明する。
【００２９】
はじめに、使用者が図示しないメニュー画面から「下糸のセット」の操作を選択する。これにより、図４のステップＳ１において、ＲＯＭ１５に記憶されたイラストデータＰ１（図３（ａ）を参照されたい）を液晶表示装置４に表示する。そして、ステップＳ２においては、イラストデータＰ１に関連づけられたフレーズアドレスＡ１１とその再生コマンドを音声合成ＬＳＩ２０に出力する。これにより、スピーカ２１から「ボビン解放レバーを、右に押して、カバーを外します」なる音声が出力される。
【００３０】
ステップＳ３で所定時間、例えば２秒待機する。この所定時間は、一つの音声データを出力するのに十分な時間である。そして、ステップＳ４にて、イラストデータＰ２（図３（ｂ）を参照されたい）を液晶表示装置４に出力する。その後、ステップＳ５にて２秒間待機した後、ステップＳ６においてイラストデータＰ３（図３（ｃ）を参照されたい）を液晶表示装置４に出力する。
【００３１】
図３（ｃ）を参照して分かるように、イラストデータＰ３には「次」という領域が含まれている。前述したように液晶表示装置４上にはタッチパネル５が配置されている。使用者が、イラストデータＰ３の「次」に対応するタッチパネル５の一部分を押圧すると、ステップＳ８に進む。
【００３２】
ステップＳ８においては、イラストデータＰ４（図３（ｄ）を参照されたい）が液晶表示装置４上に表示されるようになる。そして、ステップＳ９においては、イラストデータＰ４に関連づけられたフレーズアドレスＡ１２とその再生コマンドを音声合成ＬＳＩ２０に出力する。これにより、スピーカ２１から「ボビンを、左回りになるようにして、ボビンケースに入れます。」なる音声が出力される。
【００３３】
そして、ステップＳ１０で２秒間待機した後、イラストデータＰ５（図３（ｅ）を参照されたい）を液晶表示装置４に表示する。そして、使用者がイラストデータＰ５の「次」に対応するタッチパネル５の一部分を選択すると、ステップＳ１３に進む。
【００３４】
ステップＳ１３においては、イラストデータＰ６（図３（ｆ）を参照されたい）が液晶表示装置４上に表示されるようになる。そして、ステップＳ１４においては、イラストデータＰ６に関連づけられたフレーズアドレスＡ１３とその再生コマンドを音声合成ＬＳＩ２０に出力する。これにより、スピーカ２１から「右手で、ボビンをかるく押さえ、左手で、糸を案内にひっかけます。」なる音声が出力される。
【００３５】
そして、ステップＳ１５で２秒間待機した後、イラストデータＰ７（図３（ｇ）を参照されたい）を液晶表示装置４に表示する。そして、使用者がイラストデータＰ７の「次」に対応するタッチパネル５の一部分を押圧すると、ステップＳ１８に進む。
【００３６】
ステップＳ１８においては、イラストデータＰ８（図３（ｈ）を参照されたい）が液晶表示装置４上に表示されるようになる。そして、ステップＳ１９においては、イラストデータＰ８に関連づけられたフレーズアドレスＡ１４とその再生コマンドを音声合成ＬＳＩ２０に出力する。これにより、スピーカ２１から「みぞに沿って、上から下に通し、右に引いて糸を切ります。」なる音声が出力される。
【００３７】
そして、ステップＳ２０で２秒間待機した後、イラストデータＰ９（図３（ｉ）を参照されたい）を液晶表示装置４に表示する。ステップＳ２２で２秒間待機した後、イラストデータＰ１０（図３（ｊ）を参照されたい）を液晶表示装置４に表示する。さらに、２秒間待機した後、イラストデータＰ１１（図３（ｋ）を参照されたい）を液晶表示装置４に表示する。そして、使用者がイラストデータＰ１１の「次」に対応するタッチパネル５の一部分を押圧すると、ステップＳ２７に進む。
【００３８】
ステップＳ２７においては、イラストデータＰ１２（図３（ｌ）を参照されたい）が液晶表示装置４上に表示されるようになる。そして、ステップＳ２８においては、イラストデータＰ１２に関連づけられたフレーズアドレスＡ１５とその再生コマンドを音声合成ＬＳＩ２０に出力する。これにより、スピーカ２１から「ボビンカバーの左側のツメを、みぞに差し込み、右側を軽く押します。」なる音声が出力される。
【００３９】
そして、ステップＳ２９で２秒間待機した後、イラストデータＰ１３（図３（ｍ）を参照されたい）を液晶表示装置４に表示する。ステップＳ３１で２秒間待機した後、イラストデータＰ１４（図３（ｎ）を参照されたい）を液晶表示装置４に表示する。さらに、ステップＳ３３で２秒間待機して処理を終了する。
【００４０】
このような一連のステップＳ１〜ステップＳ３３において、使用者は、液晶表示装置４に表示されるイラストデータＰ１〜Ｐ１４とスピーカ２１から出力されるフレーズアドレスＡ１１〜Ａ１５に対応した音声データとに従って、下糸を電子ミシンＭに容易にセットすることができる。
【００４１】
本発明においては、下糸のセットを使用者に説明する際に、文字情報をほとんど含まないイラストデータＰ１〜Ｐ１４のみを液晶表示装置４に表示すると共に、表示されたイラストデータＰ１〜Ｐ１４に対応する説明文をフレーズアドレスＡ１１〜Ａ１５に対応した音声データとして出力している。
【００４２】
つまり、本発明においては、液晶表示装置４にはイラストデータＰ１〜Ｐ１４のみを順次表示すれば足りるので、液晶表示装置４を大きくする必要はなく、また、イラストデータＰ１〜Ｐ１４を小さくして表示する必要もない。さらに、説明文が音声データとして出力されるので、説明文を液晶表示装置４に表示した場合と比較して、液晶表示装置４の画面切替操作を最小限にすることができる。従って、使用者の負担を大幅に減らせるのが分かるであろう。
【００４３】
ところで、図７（ｂ）は切替部による切替内容を説明するための切替部を示す図である。図７（ａ）に示されるボタン１２ａを押圧すると、図７（ｂ）に示される画面が液晶表示装置４に表示されるものとする。また、図５は切替部による切替動作を説明するためのフローチャートである。以下、図５および図７（ｂ）を参照しつつ、切替部による切替動作について説明する。
【００４４】
はじめに、図５のステップＳ３４において、使用者が図７（ｂ）に示されるように操作音の「ＯＦＦ」部分を押圧したか否かが判定され、押圧されている場合には、ＲＡＭ１６の「ｓｏｕｓａｏｎ」に「０」を設定して処理を終了する。この場合には、フレーズアドレスＡ２１に対応した音声データ（キー入力音）は出力されない。
【００４５】
ステップＳ３４において、操作音の「ＯＦＦ」部分を押圧されていないと判定された場合には、ステップＳ３６に進み、使用者が操作音の「ＯＮ」部分を押圧したか否かが判定される。押圧されている場合には、ＲＡＭ１６の「ｓｏｕｓａｏｎ」に「１」を設定する。この場合には、下糸のセットを説明するときに、フレーズアドレスＡ２１に対応した音声データ（キー入力音）が出力されるようになる。
【００４６】
さらに、ステップＳ３６において操作音の「ＯＮ」部分を押圧されていない場合には、ステップＳ３８に進む。ステップＳ３８において、使用者がエラー音声の「ＯＦＦ」部分を押圧したか否かが判定され、押圧されている場合には、ＲＡＭ１６の「ｏｎｎｓｅｉ」に「０」を設定する。この場合には、例えば下糸のセットを説明するときに、フレーズアドレスＡ１１〜Ａ１５に対応した音声データはいずれも出力されず、また使用者が誤操作、例えば押さえ金１０を下げる操作を忘れた場合であっても、フレーズアドレスＡ０１に対応した音声データ「押さえを、下げてください」も出力されない。
【００４７】
さらにステップＳ３８においてエラー音声の「ＯＦＦ」部分を押圧されていないと判定された場合には、ステップＳ４０に進む。ステップＳ４０において使用者がエラー音声の「ＯＮ」部分を押圧したか否かが判定され、押圧されている場合には、ＲＡＭ１６の「ｏｎｎｓｅｉ」に「１」を設定する。この場合には、例えば下糸のセットを説明するときに、フレーズアドレスＡ１１〜Ａ１５に対応した音声データが前述したように出力され、また使用者が誤操作すると、その誤操作内容に応じたフレーズアドレスＡ０１に対応した音声データが出力されるようになる。
【００４８】
さらに、図６は図５による切替動作が行われた後における音声出力部の動作を示すフローチャートである。図６のステップＳ４２において、スタートストップボタン１１が押圧されているか否かが判定され、押圧された場合には、ステップＳ４３に進む。
【００４９】
ステップＳ４３においては、押さえ上げスイッチ２３が押圧されているかが判定される。押さえ上げスイッチ２３が押圧されていないと判定された場合には、ステップＳ４４に進む。ステップＳ４４においては、ＲＡＭ１６の「ｓｏｕｓａｏｎ」に「１」が設定されているかを判定し、設定されている場合にはステップＳ４５に進み、「１」が設定されていない場合にはステップＳ５０に進む。ステップＳ４５においては、フレーズアドレスＡ２１とその再生コマンドを音声合成ＬＳＩ２０に出力する。これにより、スピーカ２１から「キー入力音１」が出力され、ステップＳ５０においてメインモータ２６を駆動させる。
【００５０】
これに対し、押さえ上げスイッチ２３が押圧されていると判定された場合には、ステップＳ４６に進み、ＲＡＭ１６の「ｓｏｕｓａｏｎ」に「１」が設定されているか否かが判定される。そして、「ｓｏｕｓａｏｎ」に「１」が設定されている場合には、フレーズアドレスＡ２４とその再生コマンドを音声合成ＬＳＩ２０に出力する。これにより、スピーカ２１から「注意音１」が出力される。
【００５１】
ＲＡＭ１６の「ｓｏｕｓａｏｎ」に「１」が設定されていない場合には、ステップＳ４８に進む。ステップＳ４８においては、ＲＡＭ１６の「ｏｎｎｓｅｉ」に「１」が設定されているか否かが判定される。そして、「ｏｎｎｓｅｉ」に「１」が設定されている場合には、ステップＳ４９において、フレーズアドレスＡ０１とその再生コマンドを音声合成ＬＳＩ２０に出力する。これにより、スピーカ２１から「押さえを下げてください」なる音声が出力される。
【００５２】
このように、本発明においては、使用者の要求に応じて、操作音のＯＮ／ＯＦＦ切替およびエラー音声のＯＮ／ＯＦＦ切替を行うことができる。通常、使用者が電子ミシンＭの操作に慣れた場合には、使用者は操作音および／またはエラー音声を必要としない。本発明では、使用者の要求に応じて、音声データを出力しないように切替ることができ、従って、使用者のストレスをさらに減らすことが可能となる。
【符号の説明】
【００５３】
１    前カバー
２    操作パネル
３    スピーカ用穴部
４    液晶表示装置（表示部）
５    タッチパネル
６    押さえ上げレバー
７    縫針
８    押さえ棒
９    針棒
１０    押さえ金
１２    表示板
１２ａ    ボタン（切替部）
１３    スピード調節ツマミ
１４    ＣＰＵ
１５    ＲＯＭ（イラストデータ記憶部）
１６    ＲＡＭ
１７    入出力装置
１９    返し縫いボタン
２０    音声合成ＬＳＩ（音声データ記憶部）
２１    スピーカ（音声出力部）
２３    押さえ上げスイッチ
２６    メインモータ
２８    送りパルスモータ
３０    針振れパルスモータ
３１    模様形成装置
Ａ    ベッド
Ｂ    脚柱部
Ｃ    アーム部
Ｍ    電子ミシン
【図１】
2012179088.tif 000004
【図２】
2012179088.tif 000005
【図３】
2012179088.tif 000006
【図４】
2012179088.tif 000007
【図５】
2012179088.tif 000008
【図６】
2012179088.tif 000009
【図７】
2012179088.tif 000010